(57)【要約】【課題】外部コネクタを接続する際においても、携帯端末の防水性が保持される携帯端末のコネクタカバー及びそれを有する携帯端末を提供すること。【解決手段】携帯端末の内部コネクタ２が突出する開口３内に装填され、内部コネクタ２を防水する弾性体４と、弾性体４に収縮および拡張自在に形成され、内部コネクタ２に接続される外部コネクタ５が挿脱自在なスリット６と、スリット６の内壁に形成され、スリット６に外部コネクタ５が挿通される際には外部コネクタ５に密着し、外部コネクタ５の未挿通時には互いに密着する対向面６ａ，６ｂと、を有するコネクタカバー。【選択図】図２
2013183288.tif 000002
【特許請求の範囲】
【請求項１】
携帯端末の内部コネクタが突出する開口内に装填され、該内部コネクタを防水する弾性体と、
前記弾性体に収縮および拡張自在に形成され、前記内部コネクタに接続される外部コネクタが挿脱自在なスリットと、
前記スリットの内壁に形成され、該スリットに前記外部コネクタが挿通される際には該外部コネクタに密着し、該外部コネクタの未挿通時には互いに密着する対向面と、
を有する、ことを特徴とする携帯端末のコネクタカバー。
【請求項２】
前記対向面は、互いに係合し合う相補形状を有することを特徴とする請求項１記載の携帯端末のコネクタカバー。
【請求項３】
前記形状は、波型面であることを特徴とする請求項２記載の携帯端末のコネクタカバー。
【請求項４】
前記波型面は、前記外部コネクタの挿脱方向に進行する波面を有することを特徴とする請求項３記載の携帯端末のコネクタカバー。
【請求項５】
前記開口の入口に開閉自在に取り付けられたキャップを有することを特徴とする請求項１〜４のいずれか一記載の携帯端末のコネクタカバー。
【請求項６】
前記キャップは、少なくとも前記スリットの入口を被覆自在であることを特徴とする請求項５記載の携帯端末のコネクタカバー。
【請求項７】
前記キャップは、前記弾性体と嵌合自在な突起部を有することを特徴とする請求項５又は６記載の携帯端末のコネクタカバー。
【請求項８】
請求項１〜７のいずれか一記載のコネクタカバーを有することを特徴とする携帯端末。
【発明の詳細な説明】
【技術分野】
【０００１】
本発明は、携帯端末のコネクタカバー及びそれを有する携帯端末に関する。
【背景技術】
【０００２】
現在、携帯電話機、スマートフォン、タブレット型パソコン、携帯ゲーム機などの種々の携帯端末において、防水機能を有するものが多くなってきている。
【０００３】
従来、携帯端末の内部コネクタの防水には、特許文献１〜３に開示されているように、外部コネクタを内部コネクタに接続する際に開放操作されるコネクタカバーが採用されている。
【０００４】
図６（Ａ）および（Ｂ）は、従来例に係る携帯端末のコネクタカバーを説明するための図であって、図６（Ａ）は全体斜視図、図６（Ｂ）は図６（Ａ）の要部断面図である。
【０００５】
図６（Ａ）および（Ｂ）を参照すると、携帯端末（本体）１０１の開口部１０３内には、内部コネクタ１０２が突出している。内部コネクタ１０２には、不図示の外部コネクタが接続自在である。開口部１０３の入口には、開閉操作自在なコネクタカバー１０４が取り付けられている。コネクタカバー１０４は、片側ヒンジの扉構造を有している。コネクタカバー１０４の裏面には、ゴム系のパッキンであるリング状突起１０５が形成されている。リング状突起１０５は、携帯端末（本体）１０１側と接触することにより、内部コネクタ１０２の防水を保持させる。
【先行技術文献】
【特許文献】
【０００６】
【特許文献１】特開２００９−１１１７２０号公報
【特許文献２】特開２０１０−１４１５８８号公報
【特許文献３】特開２０１１−２４４２４７号公報
【発明の概要】
【発明が解決しようとする課題】
【０００７】
なお、上記先行技術文献の各開示を、本書に引用をもって繰り込むものとする。以下の分析は、本発明の観点からなされたものである。
【０００８】
図６（Ａ）および（Ｂ）に示した従来例に係る携帯端末のコネクタカバーによれば、コネクタカバー１０４を開放して、外部コネクタを内部コネクタ１０２に接続する際、内部コネクタ１０２が外部に露出するため、内部コネクタ１０２の防水性が保持できない構造となっている。
【０００９】
すなわち、従来の防水機能を有する携帯端末が、その防水機能を発揮するには条件がある。例えば、雨天の屋外で、コネクタカバー１０４を開くと、内部コネクタ１０２が濡れてしまうため、雨天の屋外では、外部コネクタを内部コネクタ１０２に接続することができないという問題が発生する。したがって、このような携帯端末は、ユーザの使用環境が事実上制限されてしまっている。
【００１０】
本発明の目的は、外部コネクタを接続する際においても、携帯端末の防水性が保持される携帯端末のコネクタカバー及びそれを有する携帯端末を提供することである。
【課題を解決するための手段】
【００１１】
本発明は、第１の視点において、携帯端末の内部コネクタが突出する開口内に装填され、該内部コネクタを防水する弾性体と、前記弾性体に収縮および拡張自在に形成され、前記内部コネクタに接続される外部コネクタが挿脱自在なスリットと、前記スリットの内壁に形成され、該スリットに前記外部コネクタが挿通される際には該外部コネクタに密着し、該外部コネクタの未挿通時には互いに密着する対向面と、を有する、携帯端末のコネクタカバーを提供する。
【００１２】
本発明は、第２の視点において、第１の視点に係るコネクタカバーを有する携帯端末を提供する。
【発明の効果】
【００１３】
本発明によるコネクタカバーによれば、外部コネクタを内部コネクタに接続する際には、スリット内壁の対向面が外部コネクタに密着することによって内部コネクタの防水性が維持され、外部コネクタを接続しない際には、スリット内壁の対向面同士が密着することによって内部コネクタの防水性が保持される。
【００１４】
本発明のコネクタカバーによれば、携帯端末に外部コネクタを接続したときも、その携帯端末の防水機能は保持されるため、屋外の雨中においても、ユーザは、携帯端末に外部コネクタを接続することによって、携帯端末の多様な機能を享受することができる。すなわち、本発明によれば、携帯端末が屋外の雨の中でも多機能に使用できる防水構造が提供される。
【図面の簡単な説明】
【００１５】
【図１】本発明の一実施例に係るコネクタカバーを有する携帯端末の外観斜視図である。
【図２】（Ａ）は、図１に示したコネクタカバーを説明するための要部断面図であり、（Ｂ）は、（Ａ）の部分拡大図である。
【図３】（Ａ）および（Ｂ）は、図１等に示したコネクタカバーの機能を説明するための図であって、（Ａ）は外部コネクタ未接続時の様子、（Ｂ）は外部コネクタ接続時の様子をそれぞれ示す要部断面図である。
【図４】本発明の他の実施例に係るコネクタカバーを有する携帯端末の外観斜視図である。
【図５】（Ａ）は、図４に示したコネクタカバーを説明するための要部断面図であり、（Ｂ）は、（Ａ）の部分拡大図である。
【図６】（Ａ）および（Ｂ）は、従来例に係る携帯端末のコネクタカバーを説明するための図であって、（Ａ）は全体斜視図、（Ｂ）は（Ａ）の要部断面図である。
【発明を実施するための形態】
【００１６】
本発明の一実施の形態に係るコネクタカバーは、携帯端末の構成部品となり、このコネクタカバーの中央にスリットが形成され、このスリットの内壁に互いに密着自在な対向面が形成され、対向面同士が密着することで日常防水が達成される（外部からの水の浸入が防止される。）。
【００１７】
本発明の一実施の形態に係るコネクタカバーは、外部コネクタ接続時、外部コネクタがスリットに差し込まれると、弾性ないし柔軟性を有するスリット内壁が押し広げられると共に、弾性体のスリット内部に巻き込まれる部分（対向面、波型面）が外部コネクタに密着することによって、外部コネクタが内部コネクタに接続ないし嵌合される際においても、防水性が保持される。
【００１８】
本発明の一実施の携帯に係るコネクタカバーないし弾性体は、粘性のある材料、例えば、シリコン系のゴム材から形成される。
【００１９】
本発明の一実施の形態に係るコネクタカバーにおいて、スリット内壁が備える対向面は、互いに係合し合う相補形状を有する。
【００２０】
本発明の一実施の形態に係るコネクタカバーにおいて、スリット内壁が備える対向面の相補形状は、波型面である。
【００２１】
本発明の一実施の形態に係るコネクタカバーにおいて、スリット内壁が備える対向面の相補形状は、波型面であり、この波型面は、外部コネクタの挿脱方向に進行する波面を有する。すなわち、接線方向に平行な断面でみて、波面が表われる（例えば、図２（Ｂ）参照）。
【００２２】
本発明の一実施の形態に係るコネクタカバーは、さらに、携帯端末が有する開口の入口に開閉自在に取り付けられたキャップを有する。
【００２３】
本発明の一実施の形態に係るコネクタカバーは、さらに、携帯端末が有する開口の入口に開閉自在に取り付けられたキャップを有し、このキャップは、少なくとも、コネクタカバーに形成されたスリットの入口を被覆自在である。
【００２４】
本発明の一実施の形態に係るコネクタカバーは、さらに、携帯端末が有する開口の入口に開閉自在に設けられたキャップを有し、このキャップは、開口に装填された弾性体と嵌合自在な突起部を有する。
【００２５】
以下、図面を参照して、本発明の一実施例を説明する。なお、以下の説明において、図面参照符号は発明の理解のために付記しているものであり、本発明を図示の態様に限定することを意図するものではない。
【実施例１】
【００２６】
図１は、本発明の一実施例に係るコネクタカバーを有する携帯端末の外観斜視図である。図２（Ａ）は、図１に示したコネクタカバーを説明するための要部断面図であり、図２（Ｂ）は、図２（Ａ）の部分拡大図である。
【００２７】
図１並びに図２（Ａ）および（Ｂ）を参照すると、携帯端末（これを「本体」とも称する）１は、内部コネクタ２が突出する開口３を有している。本発明の一実施例に係るコネクタカバー７は、開口３内に装填されて内部コネクタ２を防水する弾性体４を有している。
【００２８】
弾性体４の中央部には、内部コネクタ２に接続される外部コネクタ５が挿脱自在なスリット６が形成されている。スリット６は、収縮および拡張自在である。
【００２９】
スリット６の内壁は、スリット６に外部コネクタ５が挿通される際には外部コネクタ５に密着し、外部コネクタ５の未挿通時には互いに密着する対向面６ａ，６ｂを有している。対向面６ａ，６ｂは、互いに係合し合う相補形状を有している。本実施例において、対向面６ａ，６ｂは、互いに係合し合う相補形状として、波型面を有している。この波型面は、外部コネクタ５の挿脱方向に進行する波面を有している。
【００３０】
続いて、本発明の一実施例に係るコネクタカバーを有する携帯端末の防水機能について説明する。図３（Ａ）および（Ｂ）は、図１等に示したコネクタカバーの機能を説明するための図であって、（Ａ）は外部コネクタ未接続時の様子、（Ｂ）は外部コネクタ接続時の様子をそれぞれ示す要部断面図である。
【００３１】
図３（Ａ）を参照して、図１に示した外部コネクタ５を内部コネクタ２に接続しないとき、スリット６の内壁において、波型形状を有する対向面６ａ，６ｂ同士が密着することによって、開口３内ないし内部コネクタ２への雨水の浸入が防止される。
【００３２】
図３（Ｂ）を参照して、外部コネクタ５を内部コネクタ２に接続するとき、外部コネクタ５がスリット６に差し込まれると、弾性ないし柔軟性を有するスリット６の内壁が押し広げられると共に、外部コネクタ５の側面と、スリット６内部に巻き込まれる部分となる波型状の対向面６ａ，６ｂとの間に摩擦力が働き、外部コネクタ５の側面に対向面６ａ，６ｂが密着する。これによって、外部コネクタ５の接続および取り外し操作時並びに接続状態においても、防水性が保持される。
【００３３】
以上説明した本発明の一実施例に係るコネクタカバーによれば、携帯端末のＩ／Ｏコネクタ部（内部コネクタ）に、例えば、イヤホン機能を有する外部コネクタを差し込みながら屋外で音楽等を聴いているとき、急に雨が降り、雨宿りができない場合であっても、Ｉ／Ｏコネクタ部からの水の浸入を防止することができる。
【実施例２】
【００３４】
次に、本発明の他の実施例に係るコネクタカバーを説明する。なお、本実施例のコネクタカバーが、前記実施例に係るコネクタカバーと同様の構成および機能を有する点については、適宜、前記実施例の記載を参照するものとする。
【００３５】
図４は、本発明の他の実施例に係るコネクタカバーを有する携帯端末の外観斜視図である。図５（Ａ）は、図４に示したコネクタカバーを説明するための要部断面図であり、図５（Ｂ）は、図５（Ａ）の部分拡大図である。
【００３６】
図４並びに図５（Ａ）および（Ｂ）を参照すると、本発明の他の実施例に係るコネクタカバー１７は、前記実施例で説明した開口３内部に装填される弾性体４に加えて、開口３の入口に開閉自在に取り付けられたキャップ（別のコネクタカバー）８を有している。
【００３７】
キャップ８は、少なくともスリット６の入口を被覆自在である。キャップ８は、弾性体４と嵌合自在な突起部８ａ，８ｂを有している。突起部８ａ，８ｂは、キャップ８の内面（裏面）上に、円形のリング状に形成されている。なお、突起部８ａ，８ｂは、携帯端末（本体）１側の部材、例えば、開口３を囲むハウジングやソケットと嵌合自在であってもよい。
【００３８】
キャップ８は、柔軟性を有するシリコンゴム系の素材から形成され、携帯端末（本体）１に片側ヒンジ開き構造をもって接続されている。
【００３９】
本実施例のコネクタカバー１７は、開口３内部に装填される弾性体４に加えて、開口３の入口およびスリット６の入口を封止自在なキャップ８を有することによって、防水性がさらに向上されている。
【産業上の利用可能性】
【００４０】
本発明によるコネクタカバーは、携帯端末の外部接続部コネクタカバーとして好適に利用することができる。本発明によるコネクタカバーは、携帯端末、例えば、携帯電話機、スマートフォン、タブレット型パソコン、携帯ゲーム機などの種々の携帯端末のコネクタカバーとして好適に利用することができる。
【００４１】
以上、本発明を、上記実施の形態および実施例に基づいて説明したが、本発明は、上記実施の形態等に限定されることなく、本発明の範囲内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の請求の範囲の枠内において、種々の開示要素（各請求項の各要素、各実施形態ないし実施例の各要素、各図面の各要素等を含む）の多様な組み合わせ・置換ないし選択が可能である。
【００４２】
また、本発明のさらなる課題、目的及び展開形態は、請求の範囲を含む本発明の全開示事項からも明らかにされる。
【００４３】
上記実施の形態の一部又は全部は、以下の付記のようにも記載されうるが、本発明は、以下の記載内容に限定されるものではない。
【００４４】
［付記１］
柔軟性を有する素材に、波型形状の対面を有するスリットが形成されたコネクタカバー。
【００４５】
［付記２］
前記柔軟性を有する素材がシリコン系のゴム材料である付記１のコネクタカバー。
【００４６】
［付記３］
前記柔軟性を有する素材が圧縮介装されている付記１又は２のコネクタカバー。
［付記４］
さらに、開閉自在なキャップ（別のコネクタカバー）を有する付記１〜３のいずれか一のコネクタカバー。
【００４７】
［付記５］
前記キャップは、少なくとも前記スリットを被覆自在である付記４のコネクタカバー。
【００４８】
［付記６］
前記キャップは、片側ヒンジ構造を有する付記４又は５のコネクタカバー。
【００４９】
［付記７］
付記１〜６のいずれか一のコネクタカバーを有する携帯端末。
【符号の説明】
【００５０】
１  携帯端末（本体）
２  内部コネクタ
３  開口
４  弾性体
５  外部コネクタ
６  スリット
６ａ，６ｂ  対向面（対面）
７、１７  コネクタカバー
８  キャップ
８ａ，８ｂ  突起部
【図１】
2013183288.tif 000003
【図２】
2013183288.tif 000004
【図３】
2013183288.tif 000005
【図４】
2013183288.tif 000006
【図５】
2013183288.tif 000007
【図６】
2013183288.tif 000008